(57)【要約】【課題】押して移動させる際に、作業者が進行方向を視認しやすい床頭台を提供とする。【解決手段】床頭台１は、平行に相対する側部フレーム１１ａおよび側部フレーム１１ｂと、側部フレーム１１ａおよび側部フレーム１１ｂの高さ方向の上端、中段、下端のそれぞれの間に架設された天板１２、中天板１３および底板１５と、側部フレーム１１ａおよび側部フレーム１１ｂにおける背面となる側の高さ方向縁部に取り付けられた背面板１７ａ、１７ｂ、１７ｃ、１７ｄ、１７ｅと、天板１２と中天板１３の間の領域に設けられたキャビネット１４と、底板１５の下面に取り付けられたキャスター１６と、を備えている。また、床頭台１は、背面板１７ｂと背面板１７ｃとの間に上部開口部１８が形成され、背面板１７ｄと背面板１７ｅとの間に下部開口部１９が形成されている。【選択図】図１
2017196167.tif 000002
【特許請求の範囲】
【請求項１】
相対して配置された一対の側部フレームと、
該各側部フレームの上部間に渡して取り付けられた天板と、
該天板の下方側に、同天板と所要間隔を空けて、前記各側部フレーム間に渡して取り付けられた中天板と、
前記各側部フレームの下部間に渡して取り付けられた底板と、
該底板または前記各側部フレーム下部に取り付けられた移動補助手段と、
前記天板から前記中天板の間の領域に、同領域の背面側の一部を塞いで取り付けられた背面板とを備える
床頭台。
【請求項２】
前記中天板の下方に、前記背面板と反対側の方向へ引き出し可能に設けられた補助天板を備える
請求項１に記載の床頭台。
【請求項３】
前記天板の上部、または、同天板と前記中天板の間の領域に、キャビネットを備える
請求項１または請求項２に記載の床頭台。
【請求項４】
前記移動補助手段がキャスターである
請求項１、請求項２または請求項３に記載の床頭台。
【請求項５】
天板と、
該天板の下方に設けられた中天板と、
該中天板の下方に設けられた底板と、
前記天板と前記中天板間の領域の背面側の一部を塞ぐように取り付けられたものであるか、または、同領域の背面側を塞いで一部または全部が透明素材により形成されているものである背面板と、
移動補助手段とを備える
床頭台。
【発明の詳細な説明】
【技術分野】
【０００１】
本発明は、床頭台に関する。更に詳しくは、押して移動させる際に、作業者が進行方向を視認しやすいものに関する。
【背景技術】
【０００２】
従来から、病院や老人ホーム等では、ベッドから手が届く範囲に必要な身の回り品やテレビ等を置いて闘病生活や療養生活を送ることが多い。床頭台はこのような場合に利用されるものであり、テレビ等を載置する天板あるいは中天板、小物類を入れる引出し等が備え付けられ、利用者が不自由しないように配慮されている。
【０００３】
床頭台の一例としては、下記特許文献１に記載されているようなものが挙げられる。なお、下記特許文献１に記載されている床頭台を図８に示している。図８に示す床頭台９は、上部に設けられたキャビネット９１と、キャビネット９１の下方に形成されたテレビ等を収納する上部空間部９２と、上部空間部９２の下方に設けられた引き出し９３と、引き出し９３の下方に形成された下部空間部９４と、床頭台９の背面側下部の一部を除き、その上方側を閉塞する背面板９５を備えている。
【先行技術文献】
【特許文献】
【０００４】
【特許文献１】意匠登録第１２７２４５２号公報
【発明の概要】
【発明が解決しようとする課題】
【０００５】
ところで、入院生活あるいは老人ホーム等への入居生活が長期間になると、病室や居室を移動することがある。このとき、部屋に置いている床頭台を移転先の部屋に移すことがあるが、床頭台を押して廊下を移動すると、上部にキャビネット９１を備えた床頭台９は背が高く、背面側の上方側が背面板９５で塞がれていることで、床頭台９の後ろ側にいる作業者は前方が見えにくいため、床頭台９を押して移動しているときに誤って人や物に当ててしまう可能性があり、大変危険であった。
【０００６】
本発明は、以上の点を鑑みて創案されたものであり、押して移動させる際に、作業者が進行方向を視認しやすい床頭台を提供とすることを目的とする。
【課題を解決するための手段】
【０００７】
上記の目的を達成するために本発明の床頭台は、相対して配置された一対の側部フレームと、該各側部フレームの上部間に渡して取り付けられた天板と、該天板の下方側に、同天板と所要間隔を空けて、前記各側部フレーム間に渡して取り付けられた中天板と、前記各側部フレームの下部間に渡して取り付けられた底板と、該底板または前記各側部フレーム下部に取り付けられた移動補助手段と、前記天板から前記中天板の間の領域に、同領域の背面側の一部を塞いで取り付けられた背面板とを備える。
【０００８】
ここで、床頭台は、前述の構成を備えることにより、ベッドから手が届く範囲に必要な身の回り品やテレビ等を置くことができるという本来の作用効果を奏すると共に、他の部屋等に押しながら移動させる際に、天板から中天板の間の領域に構成された開口部または窓から、作業者が進行方向を視認しやすいため、運搬を安全かつスムーズに行うことができる。
【０００９】
側部フレームは、床頭台の骨格をなす部材であり、前述通り、天板、中天板および底板、背面板が取り付けられ、これらを保持することができる。
【００１０】
天板は、各側部フレームの上部間に渡して取り付けられ、天井部分を構成すると共に、その上面部が床頭台の上部における載置スペースとなる。
【００１１】
中天板は、床頭台の高さ方向中間部分における載置スペースとなり、天板と中天板の間の空間は、床頭台の正面となる部分が開口し、背面側の一部が塞がれた第一の収納部となる。この収納部が形成されることによって、この収納部内に、例えば液晶テレビを、中天板の上面に載置し、あるいは、天板下に設けられたアームによって吊り下げて、設置することができる。
【００１２】
底板は、床頭台の高さ方向下部における載置スペースとなり、中天板と底板の間の空間は、床頭台の正面となる部分が開口した第二の収納部となる。この第二の収納部が形成されることによって、この第二の収納部内に、例えば小型冷蔵庫を底板の上面に載置して設置することができる。なお、移動補助手段を備えることによって、押すだけで床頭台を移動させることができる。
【００１３】
背面板は、収納した物が背面方向へ落ちないように支える。また、背面板は、天板から中天板の間の領域に、同領域の背面側の一部を塞いで取り付けられていることから、塞いだ部分以外が開口部または窓を構成し、この開口部または窓を通して、背面板の反対側（すなわち、床頭台の正面となる側）を視認することができ、これにより、床頭台を押して移動させる者が進行方向を視認しやすく、運搬を安全かつスムーズに行うことができる。
【００１４】
また、前記中天板の下方に、前記背面板と反対側の方向へ引き出し可能に設けられた補助天板を備える場合は、必要に応じて補助天板を引き出すことにより、例えば、食事のトレー等を置くことができ、不使用時は仕舞うことができるので、利便性が良い。
【００１５】
また、前記天板の上部、または、同天板と前記中天板の間の領域に、キャビネットを備える場合は、物の収納量を増やすことができるので、病室内の整理整頓に役立つ。
【００１６】
また、前記移動補助手段がキャスターである場合は、床頭台を押しながら、床頭台の移動方向が自由に変えられるので、移動作業をスムーズに行うことができる。
【００１７】
上記の目的を達成するために本発明の床頭台は、天板と、該天板の下方に設けられた中天板と、該中天板の下方に設けられた底板と、前記天板と前記中天板間の領域の背面側の一部を塞ぐように取り付けられたものであるか、または、同領域の背面側を塞いで一部または全部が透明素材により形成されているものである背面板と、移動補助手段とを備える。
【００１８】
ここで、床頭台は、前述の構成を備えることにより、ベッドから手が届く範囲に必要な身の回り品やテレビ等を置くことができるという本来の作用効果を奏すると共に、押して他の部屋等に移動させる際に、天板から中天板の間の領域に構成された開口部または窓、あるいは透明素材で形成された背面板の一部または全部から、作業者が進行方向を視認しやすいため、運搬を安全かつスムーズに行うことができる。
【００１９】
なお、本発明の床頭台では、天板、中天板および底板の各々は、例えば、背面板に固定して保持された態様、あるいは、天板と中天板、中天板と底板の間に、各々を接続し、かつ間隔を空けて支持する支柱が設けられた態様などの公知の構造により保持されるものである。
【００２０】
天板は、床頭台の上部における載置スペースとなる。
【００２１】
中天板は、床頭台の高さ方向中間部分における載置スペースとなり、天板と中天板の間の空間は、床頭台の正面となる部分が開口した第一の収納部となる。この収納部が形成されることによって、この収納部内に、例えば液晶テレビを、中天板の上面に載置し、あるいは、天板下に設けられたアームによって吊り下げて、設置することができる。
【００２２】
底板は、床頭台の高さ方向下部における載置スペースとなり、中天板と底板の間の空間は、床頭台の正面となる部分が開口した第二の収納部となる。この第二の収納部が形成されることによって、この第二の収納部内に、例えば小型冷蔵庫を底板の上面に載置して設置することができる。なお、移動補助手段を備えることによって、押すだけで床頭台を移動させることができる。
【００２３】
背面板は、収納した物が背面方向へ落ちないように支える。また、背面板は、天板から中天板の間の領域に、同領域の背面側の一部を塞いで取り付けられたことで開口部または窓が構成されているか、あるいは、同領域を塞ぐ背面板の一部または全部が透明素材で形成された透明部を有するため、この開口部または窓、あるいは透明部を通して、背面板の反対側（床頭台の正面となる側）を視認することができ、これにより、床頭台を押して移動させる者が進行方向を視認しやすく、運搬を安全かつスムーズに行うことができる。
【００２４】
なお、前述の背面板の構成としては、例えば、背面板の全部または一部（天板から中天板の間の領域等）を透明アクリル板等の透明素材で形成したようなものであってもよく、つまり、素通しであっても仕切られているとしても、正面となる側を視認可能なものであればよい。また、開口部または窓は、板体の四辺に縁を残して中央などの一部を切り欠いて形成したようなものであってもよい。
【発明の効果】
【００２５】
本発明による床頭台によれば、押して移動させる際に、作業者が進行方向を視認しやすい。
【図面の簡単な説明】
【００２６】
【図１】本発明の床頭台の斜視図である。
【図２】図１に示す床頭台の正面図である。
【図３】図１に示す床頭台の背面図である。
【図４】図１に示す床頭台の右側面図である。
【図５】図２における床頭台のＡ−Ａ断面図である。
【図６】図１に示す床頭台のキャビネットの扉を開いた状態を示す斜視図である。
【図７】図１に示す床頭台を移動させている状態を示し、運搬作業者を想像線で示した説明図である。
【図８】従来の床頭台を示しており、（ａ）は正面図、（ｂ）はＢ−Ｂ断面図である。
【発明を実施するための形態】
【００２７】
図１または図７を参照して、本発明の実施の形態を更に詳細に説明する。なお、各図における符号は、煩雑さを軽減し理解を容易にする範囲内で付している。また、本実施の形態の説明において、「背面側」とは後述する背面板がある側（図１で床頭台の右斜め上側）であり、「正面側」とは背面板がある側とは反対側（図１で床頭台の左斜め下側）を意味する。更にまた、以下で述べる用語「キャスター」は先述した「移動補助手段」と、用語「架設されている」は先述した「フレーム等の間に渡して取り付けられた」と、それぞれ同等の意味で使用している。
【００２８】
図１または図５を参照する。床頭台１は、平行に相対する側部フレーム１１ａおよび側部フレーム１１ｂと、側部フレーム１１ａおよび側部フレーム１１ｂの高さ方向の上端、中段、下端のそれぞれの間に架設された天板１２、中天板１３および底板１５と、側部フレーム１１ａおよび側部フレーム１１ｂにおける背面となる側の高さ方向縁部に取り付けられた背面板１７ａ、１７ｂ、１７ｃ、１７ｄ、１７ｅと、天板１２と中天板１３の間の領域に設けられたキャビネット１４と、底板１５の下面に取り付けられたキャスター１６と、を備えている。また、床頭台１は、背面板１７ｂと背面板１７ｃとの間に上部開口部１８が形成され、背面板１７ｄと背面板１７ｅとの間に下部開口部１９が形成されている。
【００２９】
側部フレーム１１ａは、床頭台１の高さと略同じ高さの板体であって、高さ方向の中央部において床頭台１の正面側から背面側へ幅が狭くなり、高さ方向の上部において床頭台１の正面方向へ幅が広くなる形状となっている。なお、本実施の形態では、側部フレーム１１ａの高さ方向の上部は、下部分の約７０％程度の幅であるが、この比率は適宜設計変更することができる。また、前述の側部フレーム１１ａは、上方が略鉤型となった形状とも換言できる。
【００３０】
側部フレーム１１ａには、床頭台１の高さの下から３分の１程度の位置に、折り畳み式のハンガー１１２ａが取り付けられている。また、側部フレーム１１ａは、床頭台１の上端近傍の位置に、フック１１３ａが取り付けられている。ハンガー１１２ａのやや上方であって床頭台１の正面側寄りには、杖Ｓ（図７参照）を掛ける杖掛け１１４が取り付けられている。
【００３１】
なお、側部フレーム１１ｂは、杖掛け１１４が設けられていないことを除き、側部フレーム１１ａと対称であるため、説明を省略する。
【００３２】
天板１２は、略正方形の板体であり、側部フレーム１１ａおよび側部フレーム１１ｂの高さ方向上端間に架設されている。
【００３３】
中天板１３は、略正方形の板体であり、天板１２の下方側に、高さ方向に所要間隔を空けて、側部フレーム１１ａおよび側部フレーム１１ｂの間に架設されている。中天板１３が架設された位置は、側部フレーム１１ａおよび側部フレーム１１ｂの高さ方向略中間である。
【００３４】
底板１５は、略正方形の板体であり、その上面の左右縁部に側部フレーム１１ａ、１１ｂの下端が固着されている。底板１５の下面の四隅には、キャスター１６が１つずつ（合計４つ）が取り付けられている。キャスター１６は固定ブレーキ（図示、符号省略）を有している。
【００３５】
天板１２の下方かつ中天板１３の上方において、側部フレーム１１ａ、１１ｂの間に、板状のキャビネット底板１４１が架設されている。キャビネット１４は、このキャビネット底板１４１と天板１２の間の領域かつ側部フレーム１１ａおよび側部フレーム１１ｂの間に囲まれた空間により構成されている。キャビネット１４は、正面側に設けられた左右に開くシャッター状の扉部１４２を有し、両扉部１４２は、スライドさせることで開閉が可能であり、両扉部１４２を外側へ移動させることにより、正面側が開口するようになっている（図１および図６参照）。
【００３６】
中天板１３の下方かつ底板１５の間には、仕切り板２１が架設されている。中天板１３の下方かつ仕切り板２１の間には、上から順番に、テレビカード管理機２２と、補助天板２３と、鍵付きの引き出し２４が設けられている。
【００３７】
テレビカード管理機２２は、床頭台１の内側に本体部（符号省略）が格納され、床頭台１の正面側にカード挿入部（符号省略）と残高表示部（符号省略）が表示できるように、正面側の化粧パネルに開口部が設けられている。
【００３８】
補助天板２３は、背面板１７ａ〜１７ｅと反対側の方向（即ち、床頭台１の正面方向）へ引き出し可能に設けられている。
【００３９】
鍵付きの引き出し２４は、背面板１７ａ〜１７ｅと反対側の方向（即ち、床頭台１の正面方向）へ引き出し可能に設けられている。
【００４０】
図３および図５を主に参照して、背面板１７ａ〜１７ｅについて説明する。背面板１７ａは、床頭台１の背面側に配置され、天板１２の下方かつ中天板１３の間の領域に、側部フレーム１１ａおよび側部フレーム１１ｂの間に挟むようにして取り付けられている。そして、背面板１７ａは、キャビネット１４の背面側を閉塞している。
【００４１】
背面板１７ｂは、床頭台１の背面側に配置され、キャビネット底板１４１の下方かつ中天板１３の間の領域の上部に、側部フレーム１１ａおよび側部フレーム１１ｂの間に挟むようにして取り付けられている。
【００４２】
背面板１７ｃは、床頭台１の背面側に配置され、キャビネット底板１４１の下方かつ中天板１３の間の領域の下部に、背面板１７ｂの下端と所要間隔を空けて、側部フレーム１１ａおよび側部フレーム１１ｂの間に挟むようにして取り付けられている。
【００４３】
なお、背面板１７ｂ下端と背面板１７ｃ上端の間の空隙が、背面板１７ｂと背面板１７ｃの板厚方向に開口した上部開口部１８となる。本実施の形態では、背面板１７ｂと背面板１７ｃと上部開口部１８の配置は前述の通りであるが、これに限定するものではなく、例えば、当該部分に取り付けられる背面板が一枚であって、床頭台高さ方向への縁を残した所要大きさの窓等であってもよい。
【００４４】
背面板１７ｄは、床頭台１の背面側に配置され、中天板１３の下方かつ仕切り板２１の間の領域に、側部フレーム１１ａおよび側部フレーム１１ｂの間に挟むようにして取り付けられている。そして、背面板１７ｄは、テレビカード管理機２２、補助天板２３、鍵付きの引き出し２４の背面側を閉塞している。
【００４５】
背面板１７ｅは、床頭台１の背面側に配置され、仕切り板２１の下方かつ底板１５の間の領域の下部に、仕切り板２１の背面側の下側縁部と所要間隔を空けて、側部フレーム１１ａおよび側部フレーム１１ｂの間に挟むようにして取り付けられている。なお、仕切り板２１の背面側の下側縁部と背面板１７ｅ上端の間の空隙が、下部開口部１９となる。
【００４６】
上部開口部１８があるキャビネット底板１４１と中天板１３の間の空間は、床頭台１の正面となる部分が開口した第一の収納部（符号省略）となる。この第一の収納部内には、液晶テレビＭを、キャビネット底板１４１下面に設けられたアームＡで吊り下げて設置することができる（図７参照）。
【００４７】
下部開口部１９がある仕切り板２１と底板１５の間の空間は、床頭台１の正面となる部分が開口した第二の収納部（符号省略）となる。この第二の収納部内には、小型の冷蔵庫Ｒを底板１５の上面に載置して設置することができる（図７参照）。
【００４８】
（作  用）
床頭台１の作用について説明する。床頭台１は、前述の構成を備えることにより、ベッドから手が届く範囲に必要な身の回り品や液晶テレビＭ等を置くことができるという本来の作用効果を奏する。そして、図７に示すように、部屋替え等で床頭台１を押しながら移動させる際には、運搬作業者Ｈが上部開口部１８を通して進行方向を視認しやすいため、運搬作業を安全かつスムーズに行うことができる。
【００４９】
側部フレーム１１ａ、１１ｂは、床頭台１の骨格をなす部材であり、前述通り、天板１２、中天板１３および底板１５等が取り付けられ、これらを保持することができる。天板１２は、床頭台１の天井部を構成すると共に、その上面部が床頭台１の上部における載置スペースとなる。
【００５０】
中天板１３は、床頭台１の高さ方向中間部分における載置スペースとなり、天板１２との間の空間は床頭台１の正面となる部分が開口した第一の収納部となって、この収納部内に、液晶テレビを天板１２下に設けられたアームＡによって吊り下げて設置することができる。
【００５１】
背面板１７ａ〜１７ｅは、収納した物が床頭台１の背面方向へ落ちないように支える。また、背面板１７ｂと１７ｃの間の領域に形成された上部開口部１８を通して、後ろ側にいる作業者が、床頭台１の正面側を視認することができ、これにより、床頭台１を押して移動させる運搬作業者Ｈ者が進行方向を視認しやすく、運搬を安全かつスムーズに行うことができる。
【００５２】
底板１５は、床頭台１の高さ方向下部における載置スペースとなり、底板１５を含んだ第二の収納部には、小型冷蔵庫Ｒを設置することができる。
【００５３】
補助天板２３は、必要に応じて引き出して食事のトレー等を置くことができ、不使用時は仕舞うことができるので、利便性が良い。床頭台１は、キャビネット１４を備えるので、物の収納量を増やすことができて、病室内の整理整頓に役立つ。床頭台１は、キャスター１６により走行するので、押すだけでスムーズに移動させやすい。
【００５４】
本実施形態においては、中天板１３の下方に、テレビカード管理機２２、補助天板２３、鍵付きの引き出し２４を配置しているが、これに限定するものではなく、配列順の変更や、引き出しの数を増やす等、適宜設計変更可能である。また、前述の第二の収納部内には、小型冷蔵庫Ｒを設置しているが、これに限定するものではなく、例えば、大型の引き出しを設ける、あるいは何も置かない（単なる空間部とする）等、適宜設計変更可能である。
【００５５】
本実施の形態において、側部フレーム１１ａ、１１ｂ、天板１２、中天板１３、底板１５、仕切り板２１、背面板１７ａ〜１７ｅは、木製の板体であるが、これに限定するものではなく、例えば、金属製あるいは合成樹脂製等の公知素材またはこれらを組み合わせたものであってもよく、形状についても適宜設計変更が可能である。
【００５６】
本実施形態においては、床頭台１は、使用者の利便性を図るべく、側部フレーム１１ａ、１１ｂの側面にハンガー１１２ａ、１１２ｂ、フック１１３ａ、１１３ｂおよび杖掛け１１４を設けているが、これに限定するものではなく、例えば、これらの一部または全部を外した態様であってもよい。
【００５７】
本実施形態においては、床頭台１は、使用者の利便性を図るべく、キャビネット１４を備えているが、これに限定するものではなく、キャビネット１４の無い態様であってもよい。また、キャビネット１４の扉部１４２は、観音開きの扉であってもよいし、扉の無い態様であってもよい。
【００５８】
本実施形態においては、床頭台１は、アームＡで液晶テレビＭを吊り下げるものであるが、これに限定するものではなく、例えば、中天板１３上面に液晶テレビＭを載置する態様であってもよい。また、床頭台１は、この第一の収納部に、液晶テレビＭを置かない態様であってもよい。
【００５９】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。また、第一、第二などの言葉は、等級や重要度を意味するものではなく、一つの要素を他の要素から区別するために使用したものである。
【符号の説明】
【００６０】
１    床頭台
１１ａ、１１ｂ    側部フレーム
１１２ａ、１１２ｂ    ハンガー
１１３ａ、１１３ｂ    フック
１１４    杖掛け
１２    天板
１３    中天板
１４    キャビネット
１４１    キャビネット底板
１４２    扉部
１５    底板
１６    キャスター
１７ａ、１７ｂ、１７ｃ、１７ｄ、１７ｅ    背面板
１８    上部開口部
１９    下部開口部
２１    仕切り板
２２    テレビカード管理機
２３    補助天板
２４    鍵付きの引き出し
Ａ    アーム
Ｍ    液晶テレビ
Ｒ    冷蔵庫
Ｈ    運搬作業者
Ｓ    杖
９    床頭台
９１    キャビネット
９２    上部空間部
９３    引き出し
９４    下部空間部
９５    背面板
【図１】
2017196167.tif 000003
【図２】
2017196167.tif 000004
【図３】
2017196167.tif 000005
【図４】
2017196167.tif 000006
【図５】
2017196167.tif 000007
【図６】
2017196167.tif 000008
【図７】
2017196167.tif 000009
【図８】
2017196167.tif 000010